(57)【要約】使い捨て式容器がスライダーを備えていて、スライダーは接着剤又はエポキシが配置された第一及び第二異形材を有している。異形材は、例えば誤まって閉止あるいは結合することを防止するようになっている。
2006526551.tif 000002
【特許請求の範囲】
【請求項１】
不正開封防止用の容器であって：
（ａ）開口部を有しているバッグと；
（ｂ）前記開口部において前記バッグに取り付けられた第一及び第二異形材であって、前記異形材をかみ合わせるためにお互いに係合可能になっている接触面をそれぞれが有している第一及び第二異形材と；
（ｃ）前記第一及び第二異形材の少なくとも一方の少なくとも一部分に配置された結合剤と；
（ｄ）前記結合剤が確実に前記第一及び第二異形材を一体に結合するように、前記接触表面を接触させるように移動するためのスライダー機構と；
を具備する容器。
【請求項２】
前記異形材に対する前記スライダー機構の移動を制限するために前記バッグに取り付けられた止め具をさらに具備する、請求項１に記載の容器。
【請求項３】
前記結合剤が二液型エポキシ化合物を備えていて、第一液は前記第一異形材の少なくとも一部分に配置され、第二液は前記第二異形材の少なくとも一部分に配置されている、請求項１に記載の容器。
【請求項４】
前記結合剤が前記第一及び第二異形材の少なくとも一方の少なくとも一部分に配置されている、請求項１に記載の容器。
【請求項５】
前記異形材の全長の少なくとも一部分に沿って形成されたミシン目部分をさらに具備している、請求項１に記載の容器。
【請求項６】
不正開封防止用の容器であって：
（ａ）開口部を有しているバッグと；
（ｂ）前記開口部において前記バッグに取り付けられた第一及び第二異形材であって、前記第一異形材が、自身に形成された雄形突起を有していて、前記第二異形材が雄形突起を受容するべく寸法化された自身に形成された雌形容器を有している、第一及び第二異形材と；
（ｃ）前記雌形容器の少なくとも一部分に配置された結合剤と；
（ｄ）前記結合剤をおおっているフィルムと；
（ｅ）前記開口部を閉止するためのスライダー機構であって、雄形突起が、前記雌形容器により受容され、かつ前記結合剤が確実に前記第一及び第二異形材を一体に結合するように、前記スライダー機構の移動は、前記雄形突起が前記フィルムを突き刺せるようにしている、スライダー機構と；
を具備する容器。
【請求項７】
前記結合剤が接着剤を備えている、請求項６に記載の容器。
【請求項８】
前記結合剤がエポキシを備えている、請求項６に記載の容器。
【請求項９】
前記異形材に対する前記スライダー機構の移動を制限するために、前記バッグに取り付けられた止め具をさらに具備している、請求項６に記載の容器。
【請求項１０】
前記異形材の全長の少なくとも一部分に沿って形成されたミシン目部分をさらに具備している、請求項６に記載の容器。
【請求項１１】
不正開封防止用の容器であって：
（ａ）開口部を有しているバッグと；
（ｂ）前記開口部において前記バッグに取り付けられた第一及び第二異形材であって、前記第一異形材が、自身に形成された雄形突起を有していて、前記第二異形材が雄形突起を受容するべく寸法化された自身に形成された雌形容器を有している、第一及び第二異形材と；
（ｃ）前記雌形容器の少なくとも一部分に配置された結合剤と；
（ｄ）第一位置と第二位置との間で可動なガードであって、前記第一位置はほぼ前記雄形突起と前記雌形容器との間であって、前記第二位置においては、前記ガードが雄形突起と雌形容器との間にない、ガードと；
（ｅ）前記開口部を閉止するためのスライダーであって、前記スライダーは分離板を含んでおり、前記スライダーが前記異形材の全長に沿って移動されるとき、前記分離板は前記ガードを前記第一から前記第二位置へ移動するべく形成されている、スライダーと；
を具備する容器。
【請求項１２】
前記結合剤が接着剤を備えている、請求項１１に記載の容器。
【請求項１３】
前記結合剤がエポキシを備えている、請求項１１に記載の容器。
【請求項１４】
前記異形材に対する前記スライダー機構の移動を制限するために、前記バッグに取り付けられた止め具をさらに具備している、請求項１１に記載の容器。
【請求項１５】
前記異形材の全長の少なくとも一部分に沿って形成されたミシン目部分をさらに具備している、請求項１１に記載の容器。
【請求項１６】
不正開封防止用の容器であって：
（ａ）開口部を有しているバッグと；
（ｂ）前記開口部において前記バッグに取り付けられた第一及び第二異形材であって、前記第一異形材が、自身に形成された雄形突起を有していて、前記第二異形材が雄形突起を受容するべく寸法化された自身に形成された雌形容器を有している、第一及び第二異形材と；
（ｃ）前記雌形容器の少なくとも一部分に配置された結合剤と；
（ｄ）前記雄形突起が第一位置と第二位置との間で可動であって、前記第一位置において雄形突起は前記雌形容器と整列していなくて、前記第二位置において雄形突起は雌形容器と整列しており；
（ｅ）前記開口部を閉止するためのスライダーであって、前記スライダーは分離板を含んでおり、前記スライダーが前記異形材の全長に沿って移動されるとき、前記分離板は前記ガードを前記第一から前記第二位置へ移動するべく形成されている、スライダーと；
を具備する容器。
【請求項１７】
前記結合剤が接着剤を備えている、請求項１６に記載の容器。
【請求項１８】
前記結合剤がエポキシを備えている、請求項１６に記載の容器。
【請求項１９】
前記異形材に対する前記スライダー機構の移動を制限するために、前記バッグに取り付けられた止め具をさらに具備している、請求項１６に記載の容器。
【請求項２０】
前記異形材の全長の少なくとも一部分に沿って形成されたミシン目部分をさらに具備している、請求項１６に記載の容器。
【発明の詳細な説明】
【技術分野】
【０００１】
本発明は安全なバッグ又は容器、とくに使い捨て式あるいは不正開封防止用容器に関する。
【背景技術】
【０００２】
金融サービス業、装甲車業界、小売業のような多くの産業界は、金や重要書類を輸送するために防犯バッグを購入している。防犯バッグは、バッグが詰められる第一地点から中味を取り出す第二地点へ輸送する場合に発生したかも知れない不正開封の証拠を、バッグ中味の不正開封が発生していないことの確認を伴なって得ることが可能になっていることが所望されている。防犯バッグはバッグの中味を許可なく開封することを防護している。本目的は、種々の防犯機構例えば開封防止“ボイドテープ”、バッグと切取りレシートとの両者における連続番号のようなものにより達成されている。しかしながら、そのような製品は完全に安全であるか証明されておらず、改善した防犯バッグ及び／又は容器が必要とされている。
従来技術における装置は、閉合ストリップの一方又は両方に配置された接着剤を使用してきていて、ストリップが一体に押付けられるとバッグを閉じるようになっている。バッグを閉じた後に開くためには、バッグを破る必要があり、当然のことながらバッグは破損されて不正開封の証拠を提供することになる。そのようなバッグは、例えば製造中若しくは輸送中にお互いに接触した場合、又はいつであっても接触してしまうと、誤まって閉じやすいものである。
【発明の開示】
【発明が解決しようとする課題】
【０００３】
従って、本発明の目的は不正開封防止又は使い捨て式容器を提供することである。
【課題を解決するための手段】
【０００４】
本発明における実施形態において、一対のかみ合わせ用ファスナーストリップとファスナーストリップを閉合するためのスライダーとを備えた開口部を有しているバッグあるいはフレキシブルな容器を含んでいる。接着剤又はエポキシのような結合剤がファスナーストリップの少なくとも一方に配置されている。バッグを開けるためにはバッグを引き裂かねばならないように、スライダーはストリップを一体に融合するべくストリップに沿って可動である。
【０００５】
本発明における他の実施形態において、スライダーがファスナーストリップから引き抜かれるように異形材の一方の端部又は両端部に止め具がなくてもよい。本発明のさらなる実施形態において、小さく密封された結合剤カプセルが含まれていて、スライダーの移動によりカプセルは破られ、二液形エポキシ化合物の結合をもたらすようになっている。本発明の実施形態において、二対の異形材が含まれていて、一方は使い捨て式異形材であり他方は再閉式クロージュアである。二対のどちらか一方が外部の異形材の対であってもよい。
【０００６】
図面、特許請求の範囲と共に好適な実施形態を用いて本発明の他の目的が以下に説明されている。なお、全体を通して同一符号は同一部品を表示している。図面は本発明の一部をなすものであり、本発明の例示の実施形態を含むものであって、本発明の種々の特徴を図示している。
【発明を実施するための最良の形態】
【０００７】
説明を分かりやすくするために、図に図示する部品は、同一縮尺で図示している。例えば、部品のいくつかの寸法は分りやすくするために、お互いに対して誇張して図示されている。図面において同一部品は同一符号で付番されている。
【０００８】
本発明の原理を理解することを目的として、図面に図示された実施形態を参照して、本発明を詳述する。ただし、それにより本発明を限定することを意図しているものではなく、説明した装置の変更及び修正、さらに本発明の原理の応用は、本発明にかかわる当業者においては理解できるものであろう。
【０００９】
図１において、フレキシブルな容器あるいはバッグ１０が、端部１２，１５及び１６において一体に接続されシールされたプラスチックフィルムの二つのシート１１を備えている。バッグ１０は適切な熱可塑性フィルムで作られていてもよくて、それらの熱可塑性フィルムは例えば低密ポリエチレン、低線密度ポリエチレン、エチレンとＣ3−Ｃ8∝−オレフィンの線状コポリマー、ポリプロピレン、ポリビニディレンクロライド又はこれらのポリマーの二つ以上の混合体若しくはこれらのポリマーの一つと他の熱可塑性プラスチックとの混合体のようなものである。しかしながら、フィルムのシート１１はシート１１に提供された穴あるいは裂け目のいずれがあってもよい。
【００１０】
図３において、一対のファスナーストリップ１７及び２０がシート１１の上縁部に取り付けられていて、それぞれが第一及び第二かみ合い異形材２１及び２２（例えばフック状かみ合い）を含んでいる。バッグを開く場合、すなわち閉止アセンブリあるいはスライダー２５を移動する前に、異形材は整列していなくて、すなわち係合していない。バッグを閉じる場合、両異形材が二液型エポキシにより全長にわたってかみ合い、シールを形成するように、第一異形材２１は第二異形材２２とかみ合う。
【００１１】
異形材の閉合あるいはかみ合いはスライダー２５を図１の位置から図２の位置に移動することにより行なわれる。すなわちスライダーをバッグ１０から完全に移動し去ることにより行なわれる（図３はバッグの一部が開いていて一部が閉じているスライダー２５の状態を図示している）。スライダー２５が図２に図示する位置に移動されると異形材２１及び２２がかみ合うように、スライダー２５は、異形材２１及び２２を共に押し付けるための閉合バー３７（図４参照）又は５７（図８参照）のような適切な手段を備えている。図１及び２に図示するように停止端部４２が備えられていて、スライダー２５が容器１０の左方端部からすべり落ちないようになっている。
【００１２】
図３において、異形材２１及び２２の接触面２６及び２７においてあるいは隣接して、二液型エポキシ化合物のような接着剤が備えられている。エポキシの一方が異形材２１の上又は中に備えられ、他方が異形材２２の上又は中に備えられていてもよい。代りに、他のタイプのパーマネント型接着剤が異形材２１及び２２の少なくとも一方の接触面に又は隣接して備えられていてもよい。エポキシ化合物及び／又は接着剤は、異形材２１及び２２が一体になることにより、異形材２１及び２２の材料強度より大きな強度で接続されるように選択される。
【００１３】
従って、異形材２１及び２２は、スライダーにより閉じられてしまうと、分離するには努力を必要とし、異形材の一方を引き裂くことなく分離することはできない。従って、不正開封の証拠を提供することができる。
【００１４】
図４は本発明の別の実施形態を図示していて、容器３１に一体に設置された再閉式クロージュア３０を備えている（分解図でのみ図示）。再閉式クロージュア３０はエポキシあるいは接着材料のいずれをも含んでいないけれど、分離板２９を含んでいて、分離板２９は、スライダーが一方向に移動される場合、異形材を分離しバッグを開とするべく作動する。スライダーが反対方向に移動される場合、閉合バー（図示せず）は異形材を共に押しつける。容器３１が、使い捨て式スライダー３２を含んでいて、スライダー３２はファスナーストリップ３５及び３６に取り付けられ、そして前述したような接着剤又はエポキシ材料を含んでいる。スライダー３２が対向している閉合バー３７を有していて、閉合バー３７はファスナーストリップの異形材４０及び４１を共に押し付け、両異形材を確実に閉合するようになっている。
【００１５】
図５は、本発明のさらなる実施形態を図示していて、図４の実施形態とは以下の点で異なっている。再閉式クロージュア及び使い捨て式クロージュアが逆になっていること、すなわち再閉式クロージュア４５は使い捨て式クロージュア４６の外部に設置されている。
【００１６】
図６−８は本発明のさらなる実施形態を図示していて、それぞれ第一及び第二異形材５２及び５５を含んでいるファスナーストリップ５０及び５１を備えている。図７はスライダー５６により閉合される前の異形材を図示している。図６は、スライダー５６により閉合された後の異形材を図示していて、スライダー５６は内向きに延伸している閉合バー５７を有している。
【００１７】
図７において、第一異形材５２が雌部分６０を含んでいて、雌部分６０は接着剤６１が充填され製造中はフィルム５９により閉止されていて、そのフィルム５９はエポキシ又は接着材料が第二異形材５５に接着することを防止している。フィルム５９は、例えば製造中に接着剤６１をおおって押出し加工されてもよい。フィルム５９は、製造中あるいは輸送中等において表面接触に耐久性があり、かつ温度、湿度等の変化に耐久性のある適切な材料で作られるべきである。
【００１８】
操作において、スライダー５６をファスナーストリップに沿って図６に図示する位置に移動すると、二重雄部分６２がフィルム５９を破り、図６に図示するように雌部分６０と連結するようになる。異形材５２及び５５は、例えば製造中、押出加工中、輸送中、バッグ製作中等に異形材を一体に維持するようになっている、第二雄部分６５及び雌部分６６を含んでいてもよい。
【００１９】
図９は本発明のもう一つの実施形態を図示していて、ファスナーストリップ７０及び７１を有しているクロージュアアセンブリ６９を備えている。ファスナーストリップはそれぞれ第一及び第二異形材７２及び７５を含んでいる。クロージュアアセンブリ６９は図６−８の実施形態と同様なものであって、接着剤７７が充填され、かつ製造中にフィルム８０により閉止されている雌部分７６を含んでいる。図９に図示するように、ガード８５がファスナーストリップ７１から内向きに延伸し、そしてほぼ雄部分８２と雌部分７６との間に位置している。ガード８５はファスナーストリップ７０及び７１の早期の閉合を防止している。二重の雄部分８３がフィルム８０を破らないようにフィルム８０及びガード８５が接着剤７７を保護するようになっている。異形材７０及び７１は、前述した部分６５及び６６と同機能である第二雄部分８５及び雌部分８６を含んでいる。
【００２０】
クロージュアアセンブリ６９が図１１に図示するスライダー８１のような分離板８２を備えたスライダーを備えている。操作中、スライダー８１がバッグを閉じるべく移動するので、分離板８２はガード８５を押すべく作用し、そして雄部分８３がフィルム８０を破ることを可能にし異形材を確実に接着するようになっている。すなわち、バッグを閉じシールすることが所望される場合、二重の雄部分８２がフィルム８０を破り、そして雌部分７６とかみ合うように、分離板８２がプロテクタ８５を下向きにはずすように下向きに押す。
【００２１】
図１０及び１１は本発明のさらなる実施形態を図示していて、ファスナーストリップ８７及び９０を有している。実施形態は、前述したガード８５のように目的と機能を有しているシールド又はプロテクタ９１を含んでいる。図１０に図示するように、プロテクタがファスナーストリップ８７からほぼ内向きに延伸し、雄部分９２と雌部分９５との間に位置している。エポキシ又は接着剤は雄部分９２及び／又は雌部分９５の壁面内又は壁面上に備えられている。
【００２２】
図１０において、プロテクタ９１が初期位置にあって、雌部分９５の内部を保護し、ファスナーストリップの早期閉合を防止している。図１１はスライダー８７の作動を図示していて、スライダー８７は図１の位置から図２の位置へ移動するようになっている。図１１に図示するように、分離板８２がシールド９１と係合し、そしてシールド９１を二重の雄部分９２をブロックしない位置に移動し、そしてシールド９１が雌部分９５に近接しバッグをシールすることを可能にしている。しかしながら、そのようなシールは、分離板８２が雄部分と雌部分との間を通過する後まで、そして閉合バー３７及び５７のような閉合バーが雄部分９２及び雌部分９５とを押し付けるまで行なわれない。
【００２３】
図１２及び１３は本発明のさらなる実施形態を図示していて、ファスナーストリップ９０及び９１を含んでいるクロージュアアセンブリ８９を備えている。図１２で図示するように、雄部分９２はファスナーストリップ９１の側壁面に対して角度を付けて押出し加工されていて、もしファスナーストリップ９０及び９１が共に押し付けられても（例えば製造中、輸送中等に）、雄部分９２は雌部分９５と整列しないようになっており、従って異形材部分を共にシールするべく近接できないようになっている。図１３において、分離板９９がファスナーストリップ９０と９１との間を通過する場合、雄部分は下向きに押し付けられ、ファスナーストリップがスライダーの閉合バーによりお互いにシールされるようになっている。他の開示された一つ以上の実施形態と同じく、雌部分９５を接着剤により充填し、かつフィルム８０のようなフィルムを備えることにより、接着剤が本実施形態に使用されてもよい。代りに、ファスナーストリップを一体にするために、エポキシが、雄部分９２及び雌部分９５の表面に又は表面近傍に使用されてもよい。
【００２４】
前述の実施形態のすべて又はいずれかは、機械的にあるいはレーザーでミシン目加工された一つ以上のミシン目部分（例えば異形材長手方向の中央、又は異形材の長手に沿った種々の場所、又は長手方向全体に沿って）を含むように修正されてもよい。そのようなミシン目加工された部分は、雄部分又は雌部分の一方をファスナーストリップのフランジへ取り付けた部分を弱めている。例えば、もし単一で短かい弱目線が異形材とファスナーフランジとの間にある場合、バッグを開こうとすると、異形材がこの弱目部分だけにおいて容易に分離できる。この弱目部分は、バッグ内部へアクセス可能にするには余りに小さなサイズであるけれど、一本又は二本の指をバッグに入れるには十分大きなサイズとすることができ、不正開封の証拠を残すことなく破ることはできない。
【００２５】
他の実施形態において、前述したようにファスナーの異形材とファスナーストリップのフランジとの間に第二ミシン目線となるミシン目線があってもよい。第二破損は、（第一ミシン目線に対して角度を付けて延伸するように）第二ミシン目線に沿っておこる。
【００２６】
本発明の前述の詳細説明は、二つの例示を参照して説明され、そして本発明を実施するための最良の形態が図示され説明されてきたが、本発明においてここに特定されていない実施形態の構造及び配置の修正あるいは変更は、当業者において実行することができ、そのような修正は本発明の全範囲であることは理解されるであろう。従って、特許請求の範囲に開示された原理の精神と範囲とにかかわる本発明、修正、変更、等価なすべてあるいはいずれもを保護しようとするものである。従って、本発明の範囲は、特許請求の範囲だけにより規定されるものである。
【図面の簡単な説明】
【００２７】
【図１】図１は、本発明における実施形態であるフレキシブルな容器の正面図である。
【図２】図２は、図１と同様な図であって、異なる使用状態におけるフレキシブルな容器である。
【図３】図３は、本発明の容器とスライダーとの分解斜視図であって、図１及び２とは反対の方向から見たものである。
【図４】図４は、二対の異形材を有する本発明の別の実施形態の分解断面図であって、一方は使い捨ての異形材であり、他方は再使用式の異形材である。
【図５】図５は、図４と同様な図であって、本発明のもう一つの実施形態のものである。
【図６】図６は、本発明におけるさらに別の実施形態であって、接着剤をおおうフィルムを有している。
【図７】図７は、図６における実施形態と同様な図であるけれども、閉止前の異形材を図示している。
【図８】図８は、図６及び７の実施形態の一部を形成しているスライダーの断面図である。
【図９】図９は、本発明のさらなる実施形態の図７と同様な図であって、スライダーの内側に沿って形成されたガードを備えている。
【図１０】図１０は、本発明のさらなる実施形態の図９と同様な図である。
【図１１】図１１は、図１０における実施形態の断面図であって、異形材上のスライダーをも図示している。
【図１２】図１２は、本発明におけるさらに別の実施形態断面図であって、オフセットした、あるいは整列していないスライダーアセンブリを備えているものである。
【図１】
2006526551.tif 000003
【図２】
2006526551.tif 000004
【図３】
2006526551.tif 000005
【図４】
2006526551.tif 000006
【図５】
2006526551.tif 000007
【図６】
2006526551.tif 000008
【図７】
2006526551.tif 000009
【図８】
2006526551.tif 000010
【図９】
2006526551.tif 000011
【図１０】
2006526551.tif 000012
【図１１】
2006526551.tif 000013
【図１２】
2006526551.tif 000014
【図１３】
2006526551.tif 000015
【国際調査報告】
2006526551.tif 000016
2006526551.tif 000017
2006526551.tif 000018